(57)【要約】【課題】  動物を恐れさせることなくヒゲを切断することができるようにする。【解決手段】  本発明の動物用ヒゲ切りは、ヒゲＡを切断する切断部３と、該切断部３にヒゲＡを案内するガイド孔２４を有するガイド部４とを備え、ガイド孔２４は、ガイド部４の先端と切断部３の切断場所とを連通するように形成され、かつ、該先端側が拡径したテーパー状に形成され、かつ、孔長方向に圧縮可能に形成されており、ヒゲＡの切断時に、ガイド孔２４がその長さ方向に圧縮された状態、かつ、ガイド部４の先端と切断部３の切断場所とが相対的に接近した状態になるように構成されている。【選択図】      図１
2009284851.tif 000002
【特許請求の範囲】
【請求項１】
ヒゲを切断する切断部と、
該切断部にヒゲを案内するガイド孔を有するガイド部とを備え、
前記ガイド孔は、前記ガイド部の先端と前記切断部の切断場所とを連通するように形成され、かつ、該先端側が拡径したテーパー状に形成され、かつ、孔長方向に圧縮可能に形成されており、
ヒゲの切断時に、前記ガイド孔がその長さ方向に圧縮された状態、かつ、前記ガイド部の先端と前記切断部の切断場所とが相対的に接近した状態になるように構成された動物用ヒゲ切り。
【請求項２】
前記切断部は、前記切断場所が前記先端に対して相対的に所定量以上接近すると自動的にヒゲを切断するように構成された請求項１記載の動物用ヒゲ切り。
【請求項３】
前記切断部は、ヒゲを切断するためのスイッチを備え、該スイッチが手動操作されることによりヒゲを切断するように構成された請求項１記載の動物用ヒゲ切り。
【発明の詳細な説明】
【技術分野】
【０００１】
本発明は、ペット等の動物（犬等）におけるヒゲを切るためのヒゲ切りに関するものである。
【背景技術】
【０００２】
ペット等の動物のヒゲ切りは、その動物のトリミング時に行われることが多い。一般に、動物のトリミングは、動物の地肌を傷めないよう、１カ月に１回程度がよいとされている。しかし、動物の口周りの毛よりも、ヒゲの伸びが早い。このため、動物の飼い主により、次回のトリミングまでの間、定期的に、ハサミによりヒゲだけの刈り込みが行われている。
【０００３】
モーター駆動のヒゲ切りとしては、例えば、特許文献１に記載された刈り込み装置１０１がある。図６に示すように、この装置１０１は、筐体１０２、切断ユニット１０３、コームユニット１０４を有している。刃１３１等を有する切断ユニット１０３は、筐体１０２に固定される。筐体１０２は、切断ユニット１０３を駆動するモータ、及び刈り込み装置１０１を外部電源に接続するアダプタを収容する。また、特許文献２及び３にも、特許文献１と同種の刈り込み装置が記載されている。
【０００４】
【特許文献１】特表２００８−５０２４０５号
【特許文献２】特表２００８−５０２４０６号
【特許文献３】特表２００８−５０２４０７号
【発明の開示】
【発明が解決しようとする課題】
【０００５】
ところで、ハサミで動物のヒゲを切る場合は、ハサミの刃先でヒゲ以外の毛を切ってしまわないように注意して一本ずつ切る必要がある。しかし、トリミングについての素人である動物の飼い主がハサミでヒゲを切ろうとすると、不慣れな手つきで扱われるハサミの尖った刃先を動物が恐れて暴れることがあり、刃先が動物の目や皮膚を傷付けてしまうおそれがあるという課題がある。特に、一般に普及しているハサミ（支点の両側に力点である手の握りと、作用点である刃とが分かれたＸ型のハサミ）は、手の握りと刃や刃先との距離が離れているため、一本一本のヒゲの切断箇所に対して目標が定まりにくく、切りにくいという課題がある。さらに、このようなことが続くと、飼い主とペットとの信頼関係が崩れてしまう可能性があるという課題もある。
【０００６】
また、モーター駆動の刈り込み装置１０１は価格が高いという課題がある。また、モータ駆動の刈り込み装置１０１でヒゲを刈り込む場合、動物が刈り込み装置１０１の連続的な振動や動作音を恐れて暴れることがあるという課題がある。
【課題を解決するための手段】
【０００７】
上記課題を解決するために、本発明の動物用ヒゲ切りは、
ヒゲを切断する切断部と、
該切断部にヒゲを案内するガイド孔を有するガイド部とを備え、
前記ガイド孔は、前記ガイド部の先端と前記切断部の切断場所とを連通するように形成され、かつ、該先端側が拡径したテーパー状に形成され、かつ、孔長方向に圧縮可能に形成されており、
ヒゲの切断時に、前記ガイド孔がその長さ方向に圧縮された状態、かつ、前記ガイド部の先端と前記切断部の切断場所とが相対的に接近した状態になるように構成されている。
【０００８】
この構成によれば、動物のヒゲをガイド部の背後に設けられた切断部により切断するように構成しているので、動物を恐れさせることなくヒゲを切断することができる。また、前記ガイド孔は、該先端側が拡径したテーパー状に形成されているので、動物のヒゲを挿入し易い。そして、ヒゲの切断時に、前記ガイド孔がその長さ方向に圧縮された状態、かつ、前記ガイド部の先端と前記切断部の切断場所とが相対的に接近した状態になるので、動物のヒゲを根元付近で切断することができる。また、従来のモーター駆動の刈り込み装置と比較し、簡単な構成となっており、低コストで製造することができる。
【０００９】
前記切断部としては、特に限定されないが、次の態様を例示する。
（１）前記切断場所が前記先端に対して相対的に所定量以上接近すると自動的にヒゲを切断するように構成された態様。前記所定量としては、特に限定されないが、約１．５〜５ｍｍとすることを例示する。
（２）ヒゲを切断するためのスイッチを備え、該スイッチが手動操作されることによりヒゲを切断するように構成された態様。
【発明の効果】
【００１０】
本発明に係る動物用ヒゲ切りによれば、動物を恐れさせることなくヒゲを切断することができるという優れた効果を奏する。
【発明を実施するための最良の形態】
【００１１】
図１及び図２は本発明を具体化した第一実施形態の動物用ヒゲ切り１を示している。このヒゲ切り１は、棒状に形成された筐体２と、該筐体２内に装備された切断部３と、筐体２の棒長さ方向の一端側に装備されたガイド部４とを備えている。以下、本書において、本発明のヒゲ切りにおける棒長さ方向のガイド部側を「先端側」、反ガイド部側を「基端側」という。
【００１２】
筐体２は、外筒体１０と、該外筒体１０に内挿された内筒体１１と、該外筒体１０の基端側に着脱可能に装着された蓋体１２とを備えている。筐体２の先端側において、内筒体１１の外周面と外筒体１０の内周面との間には、後述するガイド部４の外周部２１及び押しバネ２３が嵌挿される環状の隙間が設けられている。外筒体１０のサイズとしては、外径を約８〜１０ｍｍとし、長さを約６０ｍｍとすることを例示する。内筒体１１は、先端側が縮径したテーパー状に形成されている。内筒体１１のサイズとしては、先端の外径を約３ｍｍとすることを例示する。内筒体１１の先端側の孔は、先端側が拡径したテーパー状に形成されている。内筒体１１内には、切断されたヒゲＡが蓄えられ、蓋体を取り外すと、該ヒゲＡを排出することができるようになっている。また、内筒体１１には、後述する切断部３の突部１９及びガイド部４の突部２５が嵌入する貫通孔１１ａが設けられている。
【００１３】
切断部３は、図１及び図２に示すように、内筒体１１内に装備された一対のアーム１５，１６と、該両アーム１５，１６における先端側に互いに対峙するようにして各々設けられた切断刃１７と、該両切断刃１７が互いに離れるように付勢する付勢手段１８とを備えている。本例の付勢手段１８は環状に形成されたバネとなっている。一方のアーム１５には、基端側になるほど高くなるように傾斜した傾斜面１９ａを有する突部１９が設けられており、該突部１９は、該一方のアーム１５を他方のアーム１６に接近させる駆動力を受け取る被駆動部となっている。両切断刃１７は、内筒体１１内における先端側に配設されており、突部１９を介して一方のアーム１５が駆動されることにより、内筒体１１内に挿入されたヒゲＡを切断するように構成されている。この両切断刃１７によりヒゲＡが切断される場所が、本例における切断部３の切断場所である。
【００１４】
ガイド部４は、非可撓性材料からなる外周部２１と、可撓性材料（例えば、ゴム、軟質樹脂等）からなる内周部２２と、該外周部２１を先端側に付勢する付勢手段としての押しバネ２３とを備えている。外周部２１及び押しバネ２３は、内筒体１１の外周面と外筒体１０の内周面との隙間に嵌挿されている。これにより、外周部２１は、筐体２に対し、該筐体２の棒長さ方向へスライド自在に構成されるとともに、先端側へ付勢されている。外筒体１０における先端側は縮径形成されることにより、外筒体１０からの外周部２１の抜けを防止するようになっている。外周部２１と内周部２２とは、先端側で接続されている。内周部２２は、基端側が内筒体１１の先端側に接着（接着させずに、接触又は対峙させてもよい。）した状態となっており、かつ、基端側開口と内筒体１１の先端側開口との中心が略一致した状態となっている。この内周部２２の内側は、ガイド部４の先端と切断部３の切断場所とを連通するように形成され、かつ、該先端側が拡径したテーパー状に形成され、かつ、孔長方向に圧縮可能に形成されたガイド孔２４となっている。外周部２１には、先端側になるほど高くなるように傾斜した傾斜面２５ａを有する突部２５が設けられている。突部２５は、外周部２１が外筒体１０側に縮退すると、一方のアーム１５に設けられた突部１９に接触して駆動する駆動部となっている。ガイド部４のサイズとしては、筐体２から先端側への突出長さを約５ｍｍ、ガイド孔２４の基端側の内径を約１．２ｍｍ、ガイド孔２４の先端側の内径を約３ｍｍとすることを例示する。
【００１５】
次に、本ヒゲ切り１の動作について説明する。まず、図１（ａ）に示すように、動物のヒゲＡがガイド部４のガイド孔２４に挿入され、ガイド部４の先端が動物のヒゲ根元部Ｂに当接される。そして、ガイド部４の先端が動物のヒゲ根元部Ｂに押し付けられると、ガイド部４の外周部２１が、筐体２内に縮退して行くとともに、内周部２２がヒゲ根元部Ｂと内筒体１１の先端面との間でガイド孔２４長さ方向へ圧縮されて行く。そして、図１（ｂ）に示すように、切断部３の前記切断場所がガイド部４の先端に対して相対的に所定量以上接近することにより、ガイド孔２４がその長さ方向に圧縮された状態、かつ、ガイド部４の先端と切断部３の切断場所とが相対的に接近した状態になると、外周部２１の突部２５がアーム１５の突部１９に接触する。これにより、アーム１５が駆動されて、切断部３によりヒゲＡが切断される。
【００１６】
以上のように構成された本例の動物用ヒゲ切り１によれば、動物のヒゲＡをガイド部４の背後に設けられた切断部３により切断するように構成しているので、動物を恐れさせることなくヒゲＡを切断することができる。また、ガイド孔２４は、該先端側が拡径したテーパー状に形成されているので、動物のヒゲＡを挿入し易い。そして、ガイド孔２４に動物のヒゲＡが挿入された状態で、ガイド部４の先端が動物のヒゲ根元部Ｂに押し付けられると、ガイド孔２４がその長さ方向に圧縮された状態、かつ、ガイド部４の先端と切断部３の切断場所とが相対的に接近した状態になるので、動物のヒゲＡを根元付近で切断することができる。また、ガイド部４近傍の筐体２の先端側を持って操作することができ、ガイド孔２４にヒゲを挿入したり、ヒゲを切断したりする場合の操作性がよい。また、従来のモーター駆動の刈り込み装置と比較し、簡単な構成となっており、低コストで製造することができる。
【００１７】
次に、図３は本発明を具体化した第二実施形態を示している。この動物用ヒゲ切り３１は、以下に示す点において、主に第一実施形態と相違している。従って、同実施形態と共通する部分については、同一符号を付することにより重複説明を省く。
【００１８】
本例のヒゲ切り３１は、第一実施形態における外周部２１の突部２５とアーム１５の突部１９とに代えて、ヒゲＡを切断するためのスイッチ３２が設けられている。このスイッチ３２は、外筒体１０、外周部２１、内筒体１１にそれぞれ設けられた貫通孔１０ａ，２１ａ，１１ａを経由して一方のアーム１５に連結された突部３３を有している。外周部２１の貫通孔２１ａは、筐体２の棒長さ方向に延びる長孔となっており、筐体２に対する該外周部２１のスライド移動を可能にするようになっている。
【００１９】
次に、本ヒゲ切り３１の動作について説明する。まず、図３（ａ）に示すように、動物のヒゲＡがガイド部４のガイド孔２４に挿入され、ガイド部４の先端が動物のヒゲ根元部Ｂに当接される。そして、ガイド部４の先端が動物のヒゲ根元部Ｂに押し付けられると、ガイド部４の外周部２１が、筐体２内に縮退して行くとともに、内周部２２がヒゲ根元部Ｂと内筒体１１の先端面との間でガイド孔２４長さ方向へ圧縮されて行く。そして、図３（ｂ）に示すように、ガイド孔２４がその長さ方向に圧縮された状態、かつ、ガイド部４の先端と切断部３の切断場所とが相対的に接近した状態になる。そして、図３（ｃ）に示すように、スイッチ３２が手動操作により押し下げられると、アーム１５が駆動され、切断部３によりヒゲＡが切断されるようになっている。
【００２０】
本例のヒゲ切り３１によっても、第一実施形態と同様の効果を得ることができる。また、本例のヒゲ切り３１は、スイッチ３２を手動操作することにより、ヒゲＡを切断するようにしているので、ガイド部４を動物のヒゲ根元部Ｂに押し付ける強さを調節することにより、ヒゲＡの切断長さを適宜調節することができる。また、スイッチ３２が、ヒゲ切り３１の先端側に設けられているので、該先端側を持って操作することができ、ガイド孔２４にヒゲを挿入したり、ヒゲを切断したりする場合の操作性がよい。
【００２１】
次に、図４は本発明を具体化した第三実施形態を示している。この動物用ヒゲ切り４１は、以下に示す点において、主に第二実施形態と相違している。従って、同実施形態と共通する部分については、同一符号を付することにより重複説明を省く。
【００２２】
本例の筐体２は、内筒体１１が、外筒体１０内において、筐体２の棒長さ方向へスライド自在に挿入されているとともに、付勢手段としての引きバネ４２により、基端側に付勢されている。また、本例では、第一実施形態における外周部２１が、外筒体１０に一体的に形成されている。外筒体１０の貫通孔１０ａは、筐体２の棒長さ方向に延びる長孔となっており、筐体２に対し、スイッチ３２及び内筒体１１が一体的に同棒長さ方向へスライド移動可能となっている。
【００２３】
次に、本ヒゲ切り４１の動作について説明する。まず、図４（ａ）に示すように、動物のヒゲＡがガイド部４のガイド孔２４に挿入され、ガイド部４の先端が動物のヒゲ根元部Ｂに当接される。そして、手動操作により、筐体２に対してスイッチ３２を先端側にスライド移動されて行くと、内筒体１１が先端側にスライド移動して行くとともに、内周部２２がヒゲ根元部Ｂと内筒体１１の先端面との間でガイド孔２４長さ方向へ圧縮されて行く。そして、図４（ｂ）に示すように、ガイド孔２４がその長さ方向に圧縮された状態、かつ、ガイド部４の先端と切断部３の切断場所とが相対的に接近した状態になる。そして、図４（ｃ）に示すように、スイッチ３２が手動操作により押し下げられると、アーム１５が駆動され、切断部３によりヒゲＡが切断されるようになっている。
【００２４】
本例のヒゲ切り４１によっても、第二実施形態と同様の効果を得ることができる。
【００２５】
次に、図５は本発明を具体化した第四実施形態を示している。この動物用ヒゲ切り５１は、以下に示す点において、主に第一実施形態と相違している。従って、同実施形態と共通する部分については、同一符号を付することにより重複説明を省く。
【００２６】
本例の筐体２は、外筒体１０及び内筒体１１が相対移動しないように固定されており、両筒体の先端は、筐体２の棒長さ方向における略同位置にされている。
【００２７】
本例のガイド部４は、外周部２１及び内周部２２からなるガイド部全体が可撓性部材（例えば、ゴム、軟質樹脂等）により形成されており、外周部２１の基端側が、外筒体１０の先端側に取り付けられている。
【００２８】
本例のヒゲ切り５１は、第一実施形態における外周部２１の突部２５とアーム１５の突部１９とに代えて、ヒゲＡを切断するためのスイッチ３２が設けられている。このスイッチ３２は、外筒体１０及び内筒体１１にそれぞれ設けられた貫通孔１０ａ，１１ａを経由して一方のアーム１５に連結された突部３３を有している。
【００２９】
次に、本ヒゲ切り５１の動作について説明する。まず、図５（ａ）に示すように、動物のヒゲＡがガイド部４のガイド孔２４に挿入され、ガイド部４の先端が動物のヒゲ根元部Ｂに当接される。そして、ガイド部４の先端が動物のヒゲ根元部Ｂに押し付けられると、ガイド部全体がヒゲ根元部Ｂと内筒体１１の先端面との間でガイド孔２４長さ方向へ圧縮されて行く。そして、図５（ｂ）に示すように、ガイド孔２４がその長さ方向に圧縮された状態、かつ、ガイド部４の先端と切断部３の切断場所とが相対的に接近した状態になる。そして、図５（ｃ）に示すように、スイッチ３２が手動操作により押し下げられると、アーム１５が駆動され、切断部３によりヒゲＡが切断されるようになっている。
【００３０】
本例のヒゲ切り５１によっても、第一実施形態と同様の効果を得ることができる。また、第二実施形態と同様のスイッチ３２を備えており、スイッチ３２に関して同実施形態と同様の効果を得ることができる。
【００３１】
なお、本発明は前記実施形態に限定されるものではなく、例えば以下のように、発明の趣旨から逸脱しない範囲で適宜変更して具体化することもできる。
（１）ヒゲＡをガイド孔２４に挿入し易くなるように、ガイド部４等を透明に形成すること。
（２）第三実施形態において、スイッチ３２をガイド部先端側にスライドさせるだけで、スイッチ３２を押し下げなくても、第一実施形態と同様の仕組みにより自動的にヒゲＡが切断されるように構成すること。例えば、外筒体１０に駆動部としての突部を設けるとともに、一方のアーム１５に被駆動部としての突部を設け、スイッチ３２がガイド部先端側にスライドされると、両突部が互いに接触し、アーム１５が駆動され、ヒゲＡが切断されるように構成することが挙げられる。
（３）各実施形態において、筐体２やガイド部４の形状を適宜変更すること。
（４）各実施形態において、切断部３の構成を適宜変更すること。
【図面の簡単な説明】
【００３２】
【図１】本発明を具体化した第一実施形態に係る動物用ヒゲ切りの側断面図である。
【図２】同ヒゲ切りの切断部を示す斜視図である。
【図３】本発明を具体化した第二実施形態に係る動物用ヒゲ切りの側断面図である。
【図４】本発明を具体化した第三実施形態に係る動物用ヒゲ切りの側断面図である。
【図５】本発明を具体化した第四実施形態に係る動物用ヒゲ切りの側断面図である。
【図６】従来技術としての刈り込み装置の構成を示す図である。
【符号の説明】
【００３３】
１    動物用ヒゲ切り
２    筐体
３    切断部
４    ガイド部
１０    外筒体
１０ａ  貫通孔
１１    内筒体
１１ａ  貫通孔
１２    蓋体
１５    アーム
１６    アーム
１７    切断刃
１８    付勢手段
１９    突部
１９ａ  傾斜面
２１    外周部
２１ａ  貫通孔
２２    内周部
２３    バネ
２４    ガイド孔
２５    突部
２５ａ  傾斜面
３１    動物用ヒゲ切り
３２    スイッチ
３３    突部
４１    動物用ヒゲ切り
４２    バネ
５１    動物用ヒゲ切り
Ａ    ヒゲ
Ｂ    ヒゲ根元部
【図１】
2009284851.tif 000003
【図２】
2009284851.tif 000004
【図３】
2009284851.tif 000005
【図４】
2009284851.tif 000006
【図５】
2009284851.tif 000007
【図６】
2009284851.tif 000008